(57)【要約】【課題】  管理に気を使う必要のないネクタイクリップを提供する。【解決手段】第１折り返し部３は第１及び第２直線部（１、２）を有し、第１直線部の終端部１ａは第１の側（図中上側）に折り曲げられ、頂点３ａ付近は前記第１の側に折り曲げられている。第２折り返し部３は第３及び第４直線部（４、５）を有し、前記第２直線部２の延長部を前記第３直線部４として有する。第３折り返し部９は第５及び第６直線部（７、８）を有し、前記第４直線部５の延長部を前記第５直線部７として有し、前記第６直線部８の終端部８ａが前記第１の側とは逆の側に折り曲げられている。【選択図】      図１
2005288055.tif 000002
【特許請求の範囲】
【請求項１】
１本の線材から形成されたネクタイクリップであって、
第１及び第２直線部を有し、前記第１直線部の終端部が第１の側に折り曲げられた第１折り返し部と、
第３及び第４直線部を有し、前記第１折り返し部の第２直線部の延長部を前記第３直線部として有する第２折り返し部と、
第５及び第６直線部を有し、前記第２折り返し部の前記第４直線部の延長部を前記第５直線部として有し、前記第６直線部の終端部が前記第１の側とは逆の側に折り曲げられた第３折り返し部とを具備し、
前記第１折り返し部の頂点付近は前記第１の側に折り曲げられていることを特徴とするネクタイクリップ。
【請求項２】
前記第１及び第３折り返し部はＶ字形に形成され、前記第２折り返し部は第７直線部を有し、全体として三角形の形状を有していることを特徴とする請求項１記載のネクタイクリップ。
【請求項３】
前記第１直線部の終端部の先端はネクタイクリップ本体の線材径より大きな径を有する球形に形成されているか、又は球形部材が設けられていることを特徴とする請求項１又は２記載のネクタイクリップ。
【発明の詳細な説明】
【技術分野】  本発明はネクタイをワイシャツに止めるネクタイクリップに関する。
【背景技術】  一般にネクタイクリップは、互いに重ねたネクタイとワイシャツの３部材を挟むことにより、ネクタイをワイシャツにとめている。装着した時に表側となるネクタイクリップの表面には様々な装飾が施されている。
【発明の開示】
【発明が解決しようとする課題】  ネクタイクリップを装着して、例えば満員電車に乗車した場合、ネクタイクリップの高価な装飾部に傷がついたり、装飾部が破損したり、あるいはネクタイクリップがはずれてネクタイクリップを紛失することもある。更にネクタイクリップの使用あるいは管理を煩雑と感じてネクタイクリップを使用しない人もいる。ネクタイクリップを使用しないと、ネクタイのおさまりが悪くなり、例えばトイレで手を洗う時、ネクタイの先が洗面台に触れて濡れたり汚れたりする。
従って本発明は、管理に気を使う必要のないネクタイクリップを提供することを主要な目的とする。
【課題を解決するための手段】  上記課題を解決するために本発明の一実施形態に係るネクタイクリップは、１本の線材から形成され、第１及び第２直線部を有し、前記第１直線部の終端部が第１の側に折り曲げられた第１折り返し部と、第３及び第４直線部を有し、前記第１折り返し部の第２直線部の延長部を前記第３直線部として有する第２折り返し部と、第５及び第６直線部を有し、前記第２折り返し部の前記第４直線部の延長部を前記第５直線部として有し、前記第６直線部の終端部が前記第１の側とは逆の側に折り曲げられた第３折り返し部とを具備し、前記第１折り返し部の頂点付近は前記第１の側に折り曲げられている。
【発明の効果】  傷をつけたり破損したり紛失しないようにネクタイクリップを丁寧に扱う必要がなく、ネクタイクリップの管理が容易となる。又、ネクタイクリップを装着した時に、ネクタイの柄がネクタイクリップに干渉されず、ネクタイ本来の良さを示すことができる。
【発明を実施するための最良の形態】  以下、図面を参照して本発明の実施形態を説明する。
図１は本発明の第１実施形態に係るネクタイクリップ１００の斜視図、図２はネクタイクリップ１００を装着した様子を示す図である。
第１実施形態に係るネクタイクリップ１００は、１本の弾性を有する線材から形成され、第１及び第２直線部（１、２）を有し、前記第１直線部１の終端部１ａが第１の側（図中上側）に折り曲げられた第１折り返し部３と、第３及び第４直線部（４、５）を有し、前記第１折り返し部の第２直線部２の延長部を前記第３直線部４として有する第２折り返し部６と、第５及び第６直線部（７、８）を有し、前記第２折り返し部６の前記第４直線部５の延長部を前記第５直線部７として有し、前記第６直線部８の終端部８ａが前記第１の側とは逆の側（図中下側）に折り曲げられた第３折り返し部９とを具備し、前記第１折り返し部３の頂点付近３ａは前記第１の側に折り曲げられている。線材の材料としては、鋼鉄、ステンレス鋼、あるいはプラスチック等の樹脂を使用することができる。
ネクタイクリップ１００は、第１折り返し部３及び第３折り返し部９がＶ字形に形成され、第２折り返し部６は第７直線部６ａを有し、全体として三角形の形状を有している。第２折り返し部６の第７直線部６ａにより、ネクタイクリップ１００の装着時、ネククイクリップを安定して押すことができる。又ネクタイクリップ１００を取り外す時も、ネクタイクリップをネクタイ及びワイシャツから容易に引き抜くことができる。しかし、第２折り返し部６は、例えば製造上の都合などによりＵ字形であってもよく形状は任意である。又、第１及び第３折り返し部（３、９）は本実施形態ではＶ字形であるが、第２折り返し部６のように形状は任意である。
図２に示すように、ネクタイ１１は一般に太い側１１ａと細い側１１ｂを有し、太い側１１ａの裏側には、ネクタイ通し（図示されず）が縫い付けられている。このネクタイ通しに細い側１１ｂを通して、太い側１１ａと細い側１１ｂがまとめられる。図２では、ネクタイ通しを通ったネクタイの細い側１１ｂが、ネクタイクリップ１００によりワイシャツに止められている。
ネクタイクリップ１００を装着する場合、第１折り返し部３と第３折り返し部９の間に、ネクタイの細い側１１ｂとワイシャツ１２のボタン孔間の布地を挟み、第２折り返し部６を図中矢印Ａの方向に押すことで、ネクタイクリップ１００はネクタイとワイシャツを挟み込む。このとき、第１折り返し部３の頂点３ａ付近は第１の側（図１において上側）に折り曲げられているので、ネクタイクリップ１００はネクタイ及び／又はワイシャツに引っ掛かることなく滑らかに装着される。ネクタイとワイシャツは、直線部１及び７と、直線部２及び８の間でネクタイクリップ１００の弾性力により挟まれ固定される。従ってネクタイクリップ１００は、振動又は外力により、装着位置がずれたり傾いたりすることが殆どない。ここで、線材の断面形状は円形の他、六角形等の多角形を採用することができる。例えば六角形の場合、六角の角によりネクタイクリップ１００の保持力が円形のものより大きく、装着位置のずれ等が更に防止される。
ネクタイクリップ１００をネクタイ及びワイシャツから取り外す場合、折り返し部６の直線部６ａ又は折り返し部３を図中矢印Ａとは逆の側に引っ張る。このとき、直線部１の終端部１ａ及び直線部８の終端部８ａが、互いに逆方向に折れ曲がっているので、ネクタイクリップ１００がネクタイ及び／又はワイシャツに引っ掛かることがない。つまりネクタイクリップ１００はネクタイ及びワイシャツから滑らかに引き抜くことができる。終端部１ａ及び／又は１ｂの先端を球形に加工することで、ネクタイクリップ１００の着脱が更に滑らかとなる。
図３は本発明の第２実施形態に係るネクタイクリップ２００の斜視図である。
ネクタイクリップ２００の終端部１ａの先端１ｂはネクタイクリップ本体の線材径より大きな径を有する球形に形成されているか、又は前記線材径より大きな径を有する球形部材が設けられている。これにより、ネクタイクリップをはずす時、球形部に指先を引っ掛けてクリップを引き抜くことができ、使い勝手が向上する。尚、先端１ｂの形状は球形に限らず、楕円、角張った立体形状など様々なタイプを適用できる。又、終端部１ａ及び８ａの両方の先端をネクタイクリップ本体の線材径より大きな径を有する球形に形成してもよい。その場合、ネクタイクリップ２００を装着する時に、クリップの向き（終端部１ａ及び８ａのどちらをネクタイ側つまり外側にするか）を気にせずに装着できる。
本発明によるネクタイクリップ１００は、例えば１本の鋼材を加工して製作することができるので、従来のネクタイクリップに比べ大幅に製造コストを下げることができる。従って、傷をつけたり破損したり紛失しないようにネクタイクリップを丁寧に扱う必要がなく、管理が容易となる。又、装着した後、ネクタイクリップはネクタイの太い側１１ａに覆われて見えなくなる。従ってネクタイクリップを装着した時に、ネクタイの柄がネクタイクリップに干渉されず、デザイン上のネクタイ本来の良さを示すことができる。
以上の説明はこの発明の実施の形態であって、この発明のネクタイクリップを限定するものではない。当業者は上記実施形態の変形例を容易に推測することができ、そのような変形例も又本発明に含まれるものである。又、各実施形態における構成要素、機能、特徴を適宜組み合わせて構成されるネクタイクリップも本発明に含まれるものである。
【図面の簡単な説明】
【図１】  本発明の第１実施形態に係るネクタイクリップ１００の斜視図である。
【図２】  ネクタイクリップ１００を装着した様子を示す図である。
【図３】  本発明の第２実施形態に係るネクタイクリップ２００の斜視図である。
【符号の説明】
３…第１折り返し部、６…第２折り返し部、９…第３折り返し部、１００、２００…ネクタイクリップ。
【図１】
2005288055.tif 000003
【図２】
2005288055.tif 000004
【図３】
2005288055.tif 000005